(57)【要約】【課題】  本発明の目的は、故障防止機能付き携帯端末装置および携帯端末装置の故障防止方法を提供することである。【解決手段】  本発明における携帯端末装置は、湿度センサ（１３）と、バッテリー（１９）と、通話部（１８）と、バッテリー（１９）から通話部（１８）への電流供給を制御する電流供給スイッチ（１７）と、湿度センサ（１３）から出力される湿度データに基づいて電流供給スイッチ（１７）を制御する制御部（１６）とを具備している。本発明における携帯端末装置においては、湿度センサ（１３）が検出する湿度の上昇に対応して通話部（１８）への電流供給を自動的に遮断することが可能である。これにより、仮に通話部（１８）の備える回路が結露によりショートしている場合であっても、そこへは電流が供給されないので、携帯端末装置の故障が防止される。【選択図】図３
2006277129.tif 000002
【特許請求の範囲】
【請求項１】
バッテリーと、
前記バッテリーから予め決められた回路部への電流の供給及び遮断を制御する電流供給スイッチと、
湿度データに基づいて前記電流供給スイッチを制御する制御部と
を具備する携帯端末装置。
【請求項２】
請求項１に記載の携帯端末装置であって、
さらに、湿度センサを具備し、
前記湿度センサは、湿度を検出して前記湿度データとして出力する
携帯端末装置。
【請求項３】
請求項２に記載の携帯端末装置であって、
さらに、入力部から入力された設定値を記憶することができる記憶部を具備し、
前記制御部は、前記湿度データと前記設定値との比較に基づいて前記電流供給スイッチを制御する
携帯端末装置。
【請求項４】
請求項３に記載の携帯端末装置であって、
さらに、警告音を発生することが可能な発音部と、警告表示を表示することが可能な表示部とを具備し、
前記制御部は、前記湿度データと前記設定値との比較に基づいて前記発音部及び前記表示部を制御する
携帯端末装置。
【請求項５】
請求項４に記載された携帯端末装置であって、
さらに、湿度比較部を具備し、
前記設定値は、設定湿度値と判断基準値とを含んでおり、
前記湿度比較部は、前記設定湿度値と前記湿度データとから差分を計算し、
前記湿度比較部は、前期差分と前記判断基準値とを比較して前記電流を供給するか遮断するか、前記警告表示を表示させるか前記警告表示の表示を停止させるか、前記警告音を発生させるか前記警告音の発生を停止させるかの判断を行なう
携帯端末装置。
【請求項６】
請求項５に記載された携帯端末装置であって、
前記制御部は、前記判断に従って、前記電流供給スイッチによる前記電流の遮断と、前記発音部による前記警告音の発生と、前期表示部による前記警告表示の表示とを行わせる
携帯端末装置。
【請求項７】
請求項６に記載された携帯端末装置であって、
前記制御部は、前記判断に従って、前記電流供給スイッチによる前記電流の供給と、前記発音部による前記警告音の発生の停止と、前期表示部による前記警告表示の表示の停止とを行わせる
携帯端末装置。
【請求項８】
実測湿度データと設定湿度データとに基づいて、予め決められた回路部へのバッテリーからの電流供給を制御する携帯電話装置。
【請求項９】
湿度を検出し、湿度データに変換して出力することと、
前記湿度データと記憶されている設定値との比較をすることと、
前記比較に基づいて予め決められた回路部へ電流を供給するか遮断するかの判断をすることと、
前記判断に従って前記予め決められた回路部へ電流を供給又は遮断すること
を含む携帯端末装置の故障防止方法。
【請求項１０】
請求項９に記載の携帯端末装置の故障防止方法において、
前記設定値は、設定湿度値と判断基準値とを含み、
前記比較をすることは、
前記湿度データと前記設定湿度値とから差分を計算することと、
前記差分と前記判断基準値との比較をすること
を含む携帯端末装置の故障防止方法。
【請求項１１】
請求項９に記載の携帯端末装置の故障防止方法において、
前記比較をすることのあとに、
前記比較に基づいて警告音を発生するか警告音の発生を停止するかの判断をすることと、
警告音を発生するか警告音の発生を停止するかの前記判断に従って警告音を発生又は警告音の発生を停止すること
を含む携帯端末装置の故障防止方法。
【請求項１２】
請求項９に記載の携帯端末装置の故障防止方法において、
前記比較をすることのあとに、
前記比較に基づいて警告表示を表示するか警告表示の表示を停止するかの判断をすることと、
警告表示の表示をするか警告表示の表示を停止するかの前記判断に従って警告表示を表示又は警告表示の表示を停止すること
を含む携帯端末装置の故障防止方法。
【発明の詳細な説明】
【技術分野】
【０００１】
本発明は、故障防止機能付き携帯端末装置および携帯端末装置の故障防止方法に関し、特に、故障防止機能付き携帯電話装置および携帯電話装置の故障防止方法に関する。
【背景技術】
【０００２】
携帯電話装置をはじめとする携帯端末装置においては、様々な場所に携行されて使用されるため、常に最適な使用環境下で使用されるわけではなく、そのために様々な問題が生じえる。例えば、使用者の発汗、使用する環境の湿度変化等のために、携帯端末装置の内部で結露が生じて携帯端末装置の内部回路がショートする場合がある。回路のショートしている場所に電流が供給され続けると、携帯端末装置の故障に至る可能性が高い。そこで、従来から携帯端末装置の内部に侵入した水分への対策がとられてきた。
【０００３】
図１は従来の水濡れ検出機能付き携帯電話機の構成を示す分解斜視図である。従来の水濡れ検出機能付き形態電話機は、上ケース２と下ケース１との間に収納されるプリント基板３上の外部コネクタ４の近傍に湿気を含む水分を検出するサンサ５を備えている。サンサ５は湿気を含む水分を検出し、それを電気信号に変換して出力する。この携帯電話機においては、水濡れ故障の原因となる惧れがある危険湿度レベル以上の湿度をセンサが検出すると、その湿度の履歴が記憶装置に記録される。また、これより湿度が上昇して水濡れ故障レベルであると判断された場合には、表示部に警報表示を表示し、さらに、警告音を発するようになされている。このため、この携帯電話機が故障した場合には、記憶装置に記録されている湿度の履歴を調べることにより、水濡れ等の有無を推定することが可能である（特許文献１参照）。
【０００４】
図１に示す従来の水濡れ検出機能付き携帯電話機の他にも、動作環境の変化に起因して携帯電話機を含む電子機器に障害が発生することを予防する障害発生予防装置が従来から知られている。この障害発生予防装置は、湿度を含む動作環境の検出手段と、検出手段の検出結果に基づいて電子機器の障害を誘発する可能性を判定する判定手段と、判定手段の判定結果に対応して動作環境の改善をユーザに喚起する喚起手段とを備えている（特許文献２参照）。
【０００５】
前述した二つの従来技術は、湿度の変化が閾値を超えた場合にそのことをユーザに通知する機能に関係している。一方、次に説明する電源ブレーカ駆動装置は、湿度の変化に対応して電源ブレーカをトリップする機能を有している。
【０００６】
従来知られている電源ブレーカ駆動装置は、直流または交流電源を受電し、各種電源電圧を生成して装置内回路へ供給する電源装置を内蔵した装置の筐体に設置されている。この電源ブレーカ駆動装置は、装置周辺の湿度を検出する湿度センサと、湿度センサで検出された湿度が所定のレベルを超えると、電源装置のブレーカをトリップする検出・駆動回路を備えている。この電源ブレーカ駆動装置は、湿度が一定の限度を超えて上昇した場合に、高圧電源部に絶縁不良を生じて破壊的事故に至ることを防ぐためのものである（特許文献３参照）。
【０００７】
【特許文献１】特開２００１−１９７１７５
【特許文献２】特開２００３−３４５６２７
【特許文献３】実開平３−１２４７４０
【発明の開示】
【発明が解決しようとする課題】
【０００８】
本発明の目的は、故障防止機能付き携帯端末装置および携帯端末装置の故障防止方法を提供することである。
【課題を解決するための手段】
【０００９】
以下に、（発明を実施するための最良の形態）で使用される番号・符号を用いて、課題を解決するための手段を説明する。これらの番号・符号は、（特許請求の範囲）の記載と（発明を実施するための最良の形態）との対応関係を明らかにするために付加されたものである。ただし、それらの番号・符号を、（特許請求の範囲）に記載されている発明の技術的範囲の解釈に用いてはならない。
【００１０】
本発明の携帯端末装置は、バッテリー（１９、５９）と、前記バッテリーから予め決められた回路部（１８、５８）への電流の供給及び遮断を制御する電流供給スイッチ（１７、５７）と、湿度データ（Ｈ）に基づいて前記電流供給スイッチを制御する制御部（１６、５６）とを具備している。
【００１１】
また、本発明の携帯端末装置は、さらに、湿度センサ（１３、５３）を具備している。そして、前記湿度センサは、湿度を検出して前記湿度データとして出力する。
【００１２】
また、本発明の携帯端末装置は、さらに、入力部（２４、６３）から入力された設定値（Ｈ１、Ｈ２、Ｄ１、Ｄ２、Ｄ３）を記憶することができる記憶部（１４、５４）を具備している。そして、前記制御部は、前記湿度データと前記設定値との比較に基づいて前記電流供給スイッチを制御する。
【００１３】
また、本発明の携帯端末装置は、さらに、警告音を発生することが可能な発音部（６２）と、警告表示を表示することが可能な表示部（６１）とを具備している。そして、前記制御部は、前記湿度データと前記設定値との比較に基づいて前記発音部及び前記表示部を制御する。
【００１４】
また、本発明の携帯端末装置は、さらに、湿度比較部（１５、５５）を具備している。ここで、前記設定値は、設定湿度値（Ｈ２）と判断基準値（Ｄ１、Ｄ２、Ｄ３）とを含んでいる。そして、前記湿度比較部は、前記設定湿度値と前記湿度データとから差分（Ｘ）を計算し、前期差分と前記判断基準値とを比較して前記電流を供給するか遮断するか、前記警告表示を表示させるか前記警告表示の表示を停止させるか、前記警告音を発生させるか前記警告音の発生を停止させるかの判断を行なう。
【００１５】
また、本発明の携帯端末装置においては、前記制御部は、前記判断に従って、前記電流供給スイッチによる前記電流の遮断と、前記発音部による前記警告音の発生と、前期表示部による前記警告表示の表示とを行わせる。
【００１６】
また、本発明の携帯端末装置においては、前記制御部は、前記判断に従って、前記電流供給スイッチによる前記電流の供給と、前記発音部による前記警告音の発生の停止と、前期表示部による前記警告表示の表示の停止とを行わせる。
【００１７】
また、本発明の携帯電話装置は、実測湿度データ（Ｈ）と設定湿度データ（Ｈ１、Ｈ２）とに基づいて、予め決められた回路部（１８、５８）へのバッテリー（１９、５９）からの電流供給を制御する。
【００１８】
また、本発明の携帯端末装置の故障防止方法は、湿度を検出して湿度データ（Ｈ）に変換して出力することと（ＳＴ３、６、１３）、前記湿度データと記憶されている設定値（Ｈ１、Ｈ２、Ｄ１、Ｄ２、Ｄ３）とを比較することと（ＳＴ４、７、１５）、前記比較に基づいて予め決められた回路部（１８、５８）への電流を供給するか遮断するかの判断をすること（ＳＴ４、７、１６）と、前記判断に従って前記予め決められた回路部への電流を供給又は遮断をすること（ＳＴ５、８、１７−３、１７−４）を含んでいる。
【００１９】
また、本発明の携帯端末装置の故障防止方法においては、前記設定値は、設定湿度値（Ｈ２）と判断基準値（Ｄ１、Ｄ２、Ｄ３）とを含んでいる。そして、前記比較をすることは、前記湿度データと前記設定湿度値とから差分（Ｘ）を計算すること（ＳＴ１４）と、前記差分と前記判断基準値との比較をすること（ＳＴ１５）を含んでいる。
【００２０】
また、本発明の携帯端末装置の故障防止方法においては、前記比較をすることのあとに、前記比較に基づいて警告音を発生するか警告音の発生を停止するかを判断をすること（ＳＴ１６）と、警告音を発生するか警告音の発生を停止するかの前記判断に従って警告音の発生又は警告音の発生の停止をすること（ＳＴ１７−２、１７−５）を含んでいる。
【００２１】
また、本発明の携帯端末装置の故障防止方法においては、前記比較をすることのあとに、前記比較に基づいて警告表示を表示するか警告表示の表示を停止するかを判断をすること（ＳＴ１６）と、警告表示の表示をするか警告表示の表示を停止するかの前記判断に従って警告表示の表示又は警告表示の表示の停止をすること（ＳＴ１７−１、１７−６）を含んでいる。
【発明の効果】
【００２２】
本発明に係る携帯端末装置においては、湿度センサが検出する湿度の上昇に対応して予め決められた回路部への電流供給を自動的に遮断することが可能である。これにより、仮に前記回路部の備える回路が結露によりショートしている場合であっても、そこへは電流が供給されないので、携帯端末装置の故障が防止される。
【００２３】
また、本発明に係る携帯端末装置においては、警告表示の表示又は警告音の発生により、湿度センサが検出する湿度が上昇していることを使用者に通知することが可能である。使用者はこの通知により、湿度の低い所へ移動するなどして携帯端末装置の故障を防止することができる。
【００２４】
従って、本発明により故障防止機能付き携帯端末装置および携帯端末装置の故障防止方法が提供される。
【発明を実施するための最良の形態】
【００２５】
添付図面を参照して、本発明による携帯端末装置を実施するための最良の形態を以下に説明する。なお、携帯電話装置を例として説明しているが、本発明は携帯電話装置に限らずＰＤＡを含む携帯端末装置に適用することが可能である。
【００２６】
図２は、本発明による携帯電話装置１１の外観を示す図である。携帯電話装置１１は、後述する第１の実施形態及び第２の実施形態に係る携帯電話装置に共通する外観を示している。携帯電話装置１１は、液晶表示装置２１と、一群のキーボタン２２と、スピーカ１２と、マイク２３とを筐体２５の表側面に備えている。湿度センサ（不図示）は、携帯電話装置１１に内蔵されている。
【００２７】
（第１の実施形態）
図３は、本発明の第１の実施形態に係る携帯電話装置の構成を示すブロック図である。図３において第１の実施形態に係る携帯電話装置は、携帯電話装置の周囲の湿度を検出し、湿度データに変換して出力する湿度センサ１３と、入力部２４から入力された設定値を記憶する記憶部１４と、湿度センサ１３からの湿度データと記憶部１４に記憶されている設定値とを比較し、制御部１６にどのような制御をさせるかを判断する湿度比較部１５と、バッテリー１９から通話部１８への電流の供給及び遮断を制御する電流供給スイッチ１７と、湿度比較部１５の判断に従って電流供給スイッチ１７を制御する制御部１６とを備えている。
【００２８】
また、第１の実施形態に係る携帯電話装置においては、バッテリー１９と電流供給スイッチ１７との間には主電源スイッチ２０が設けられている。ここで、主電源スイッチ２０は、バッテリー１９から電流供給スイッチ１７を介した通話部１８への電流供給と併せて、バッテリー１９から図３において点線枠で囲まれている湿度センサ１３、記憶部１４、湿度比較部１５及び制御部１６への電流供給についても供給及び遮断をする。したがって、電流供給スイッチ１７を開いて通話部１８への電流を遮断することによっては、湿度センサ１３、記憶部１４、湿度比較部１５及び制御部１６への電流は遮断されない。このため、通話部１８への電流供給が遮断された場合であっても、湿度センサ１３、記憶部１４、湿度比較部１５、制御部１６及び電流供給スイッチ１７は機能し続けることが可能となされている。
【００２９】
図４は、図３に示された本発明の第１の実施形態に係る携帯電話装置の動作を説明するためのフローチャートである。
【００３０】
図４に示すステップＳＴ１において、使用者は主電源スイッチ２０を操作して主電源を投入する。さらに、ステップＳＴ２において、使用者はキーボタン２２に例示される入力部２４を操作して設定値Ｈ１を入力する。設定値Ｈ１は記憶部１４に記憶される。次にステップＳＴ３において、湿度センサ１３は湿度Ｈを検出し、湿度データに変換して出力する。さらに、ステップＳＴ４において、湿度比較部１５は湿度Ｈと設定値Ｈ１とを比較する。ここで、湿度Ｈは設定値Ｈ１よりも大きいと湿度比較部１５が判断した場合には、ステップＳＴ５に進み、そうでないと湿度比較部１５が判断した場合には、ステップＳＴ３に戻る。ステップＳＴ５に進んだ場合には、制御部１６は、湿度Ｈは設定値Ｈ１よりも大きいとの湿度比較部１５の判断に従って電流供給スイッチ１７を制御してバッテリー１９から通話部１８への電流供給を遮断する。
【００３１】
ステップＳＴ６においては、湿度センサ１３は湿度Ｈを検出し、湿度データに変換して出力する。さらに、ステップＳＴ７において、湿度比較部１５は湿度Ｈと設定値Ｈ１とを比較する。ここで、湿度Ｈは設定値Ｈ１よりも小さいと湿度比較部１５が判断した場合には、ステップＳＴ８に進み、そうでないと湿度比較部１５が判断した場合には、ステップＳＴ６に戻る。ステップＳＴ８に進んだ場合には、制御部１６は、湿度Ｈは設定値Ｈ１よりも小さいとの湿度比較部１５の判断に従って電流供給スイッチ１７を制御してバッテリー１９から通話部１８への電流供給を復活させる。
【００３２】
上記から明らかなように、第１の実施形態に係る携帯電話装置においては、湿度センサ１３が検出する湿度Ｈが使用者があらかじめ設定して入力しておいた設定値Ｈ１よりも高くなった場合には、通話部１８への電流供給が自動的に遮断される。これにより、仮に通話部１８の備える回路が結露によりショートしている場合であっても、そこへは電流が供給されないので、携帯電話装置の故障が回避される。また、電流供給スイッチ１７によっては、湿度センサ１３、記憶部１４、湿度比較部１５、制御部１６及び電流供給スイッチ１７への電流供給は遮断されない。このため、第１の実施形態に係る携帯電話装置においては、ステップＳＴ６からステップＳＴ８までにおいて、引き続き湿度の監視を継続し、湿度が下がった場合には通話部１８への電流供給を復活させることが可能である。
【００３３】
本発明の第１の実施形態においては、携帯電話装置に内臓されている湿度センサが検出して出力する湿度データに基づいて制御を行なっているが、湿度データを外部から取得して制御を行なう構成とすることも可能である。また、本実施形態においては、電流供給スイッチ１７は通話部１８へ供給される電流を制御している。ここで、通話部へ供給される電流に限らず、通話部に例示される携帯電話装置に内蔵されている回路部であって、予め決められた回路部へ供給される電流を制御する構成とすることも可能である。
【００３４】
また、第１の実施形態に係る携帯電話装置の使用者は、通話部１８への電流の遮断及び供給の判断に用いる設定値Ｈ１を自由に設定することができる。
【００３５】
（第２の実施形態）
図５は、本発明の第２の実施形態に係る携帯電話装置の構成を示すブロック図である。図５において第２の実施形態に係る携帯電話装置は、携帯電話装置の周囲の湿度を検出し、湿度データに変換して出力する湿度センサ５３と、入力部６３から入力された設定値を記憶する記憶部５４と、湿度センサ５３からの湿度データと記憶部５４に記憶されている設定値とを比較し、制御部５６にどのような制御をさせるかを判断する湿度比較部５５と、バッテリー５９から通話部５８への電流の供給及び遮断を制御する電流供給スイッチ５７と、湿度比較部５５の判断に従って、電流供給スイッチ５７、表示部６１及び発音部６２を制御する制御部５６とを備えている。表示部６１は、液晶表示装置２１を備えており、警告表示を文字又は絵若しくは図形により表示することができる。発音部６２は、スピーカ１２と、音声合成回路とを備えており、単純な警告音及び合成音声からなる警告音を発生することができる。
【００３６】
また、第２の実施形態に係る携帯電話装置においては、バッテリー５９と電流供給スイッチ５７との間には主電源スイッチ６０が設けられている。ここで、主電源スイッチ６０は、バッテリー５９から電流供給スイッチ５７を介した通話部５８への電流供給と併せて、バッテリー５９から図５において点線枠で囲まれている湿度センサ５３、記憶部５４、湿度比較部５５、制御部５６、表示部６１及び発音部６２への電流供給についても供給及び遮断をする。したがって、電流供給スイッチ５７を開いて通話部５８への電流を遮断することによっては、湿度センサ５３、記憶部５４、湿度比較部５５及び制御部５６への電流は遮断されない。このため、通話部５８への電流供給が遮断された場合であっても、湿度センサ５３、記憶部５４、湿度比較部５５、制御部５６及び電流供給スイッチ５７は機能し続けることが可能となされている。
【００３７】
図６は、図５に示された本発明の第２の実施形態に係る携帯電話装置の動作を説明するためのフローチャートである。
【００３８】
図６に示すステップＳＴ１１において、使用者は主電源スイッチ６０を操作して主電源を投入する。さらに、ステップＳＴ１２において、使用者はキーボタン２２に例示される入力部６３を操作して設定値Ｈ２、Ｄ１、Ｄ２及びＤ３を入力する。設定値Ｈ２、Ｄ１、Ｄ２及びＤ３は記憶部５４に記憶される。ここで、設定値Ｈ２は、後述する差分Ｘを計算するために使用される設定湿度値である。また、設定値Ｄ１、Ｄ２及びＤ３は、それぞれ、警告表示を表示させるか警告表示の表示を停止させるか、警告音を発生させるか警告音の発生を停止させるか、及び、通話部５８への電流を遮断するか供給するかの判断に使用される判断基準値である。ステップＳＴ１３において、湿度センサ５３は湿度Ｈを検出し、湿度データに変換して出力する。ステップＳＴ１４において、湿度比較部５５は、湿度Ｈから設定値Ｈ２を減じることで差分Ｘを計算する。ステップＳＴ１５において、湿度比較部５５は、差分Ｘと、判断基準値Ｄ１、Ｄ２又はＤ３とをそれぞれ比較する。ステップＳＴ１６において、湿度比較部５５は、比較結果に応じて制御部５６にどのような制御をさせるかを判断し、判断内容を制御部５６へと出力する。その後、ステップＳＴ１３からステップＳＴ１６までの一連のステップが繰り返されると共に、ステップＳＴ１７において、制御部５６は、ステップＳＴ１６における判断内容に応答して電流供給スイッチ５７、表示部６１及び発音部６２を制御する。
【００３９】
図７に、本発明の第２の実施形態に係る携帯電話装置の状態遷移図を示す。以下、図７を用いて図６に示すステップＳＴ１６において湿度比較部５５が行なう判断と、ステップＳＴ１７において制御部５６が行なう制御とについて詳しく説明する。
【００４０】
本発明の第２の実施形態に係る携帯電話装置においては、警告表示の表示、警告音の発生又は通話部５８への電流供給の遮断のいずれも行なわれていない初期状態である状態Ｓ１と、警告表示の表示のみが行なわれている状態Ｓ２と、警告表示の表示に加えて警告音の発生が行なわれている状態Ｓ３と、警告表示の表示、警告音の発生及び通話部５８への電流供給の遮断の全てが行なわれている状態Ｓ４とが存在する。
【００４１】
携帯電話装置が状態Ｓ１にある場合において、湿度比較部５５が差分Ｘは設定値Ｄ１よりも大きいと判断したときには、制御部５６は表示部６１に警告表示を表示させて携帯電話装置は状態Ｓ２に遷移する（ステップＳＴ１７−１）。
【００４２】
携帯電話装置が状態Ｓ２にある場合において、湿度比較部５５が差分Ｘは設定値Ｄ２よりも大きいと判断したときには、制御部５６は発音部６２に警告音を発生させて携帯電話装置は状態Ｓ３に遷移する（ステップＳＴ１７−２）。
【００４３】
携帯電話装置が状態Ｓ３にある場合において、湿度比較部５５が差分Ｘは設定値Ｄ３よりも大きいと判断したときには、制御部５６は電流供給スイッチ５７に通話部５８への電流供給を遮断させて携帯電話装置は状態Ｓ４に遷移する（ステップＳＴ１７−３）。
【００４４】
携帯電話装置が状態Ｓ４にある場合において、湿度比較部５５が差分Ｘは設定値Ｄ３よりも小さいと判断したときには、制御部５６は電流供給スイッチ５７に通話部５８へ電流を供給させて携帯電話装置は状態Ｓ３に遷移する（ステップＳＴ１７−４）。
【００４５】
携帯電話装置が状態Ｓ３にある場合において、湿度比較部５５が差分Ｘは設定値Ｄ２よりも小さいと判断したときには、制御部５６は発音部６２に警告音の発生を停止させて携帯電話装置は状態Ｓ２に遷移する（ステップＳＴ１７−５）。
【００４６】
携帯電話装置が状態Ｓ２にある場合において、湿度比較部５５が差分Ｘは設定値Ｄ１よりも小さいと判断したときには、制御部５６は表示部６１に警告表示の表示を停止させて携帯電話装置は状態Ｓ１に遷移する（ステップＳＴ１７−６）。
【００４７】
このことを具体的な数値を使って説明する。以下に湿度Ｈ並びに設定値Ｈ２、Ｄ１、Ｄ２及びＤ３として用いる数値は湿度を相対湿度（％）で表したときの数値部分である。ここでは、設定値Ｈ２として９８、設定値Ｄ１として−８、設定値Ｄ２として−３、設定値Ｄ３として−１が記憶部５４に記憶されているとする。携帯電話装置が状態１にある場合において、湿度Ｈが９０のとき、差分Ｘは−８である。このとき、差分Ｘは設定値Ｄ１、Ｄ２及びＤ３の何れよりも大きくないので、携帯電話装置は状態１のままである。こののち携帯電話装置周囲の湿度が上昇して湿度Ｈが９４になると、差分Ｘは−４になる。このとき、差分Ｘは設定値Ｄ１よりも大きいため、表示部６１に警告表示が表示されて携帯電話装置は状態Ｓ２に遷移する（ステップＳＴ１７−１）。
【００４８】
上記から明らかなように、第２の実施形態に係る携帯電話装置においては、湿度が上昇して通話部５８への電流供給が遮断される前の段階で、警告表示の表示又は警告音の発生により、湿度が上昇していることが使用者に通知される。使用者はこの通知により、湿度の低い所へ移動するなどして携帯電話装置が故障する危険を回避することができる。
【００４９】
また、第２の実施形態に係る携帯電話装置の使用者は、差分Ｘを計算するために使用される設定値Ｈ２、警告表示を表示させるか警告表示の表示を停止させるかの判断に使用される設定値Ｄ１、警告音を発生させるか警告音の発生を停止させるかの判断に使用される設定値Ｄ２、通話部５８へ電流を供給するか遮断するかの判断に使用される設定値Ｄ３を自由に設定することができる。
【００５０】
第２の実施形態に係る携帯電話装置においては、電流供給スイッチ５７は通話部５８へ供給される電流を制御している。ここで、通話部へ供給される電流に限らず、通話部に例示される携帯電話装置に内蔵されている回路部であって、予め決められた回路部へ供給される電流を制御する構成とすることも可能である。
【図面の簡単な説明】
【００５１】
【図１】従来の水濡れ検出機能付き携帯電話機の構成を示す分解斜視図である。
【図２】本発明による携帯電話装置の外観を示す図である。
【図３】本発明の第１の実施形態に係る携帯電話装置の構成を示すブロック図である。
【図４】本発明の第１の実施形態に係る携帯電話装置の動作を説明するためのフローチャートである。
【図５】本発明の第２の実施形態に係る携帯電話装置の構成を示すブロック図である。
【図６】本発明の第２の実施形態に係る携帯電話装置の動作を説明するためのフローチャートである。
【図７】本発明の第２の実施形態に係る携帯電話装置の状態遷移図である。
【符号の説明】
【００５２】
１…下ケース
２…上ケース
３…プリント基板
４…外部コネクタ
５…センサ
１１…携帯電話装置
１２…スピーカ
２１…液晶表示装置
２２…キーボタン
２３…マイク
２５…筐体
１３、５３…湿度センサ
１４、５４…記憶部
２４、６３…入力部
１５、５５…湿度比較部
１６、５６…制御部
１７、５７…電流供給スイッチ
１８、５８…通話部
１９、５９…バッテリー
２０、６０…主電源スイッチ
６１…表示部
６２…発音部
【図１】
2006277129.tif 000003
【図２】
2006277129.tif 000004
【図３】
2006277129.tif 000005
【図４】
2006277129.tif 000006
【図５】
2006277129.tif 000007
【図６】
2006277129.tif 000008
【図７】
2006277129.tif 000009